(57)【要約】【課題】コストを抑え且つユーザの操作性を向上させる携帯通信端末、撮像制御方法、プログラム及び記録媒体を提供する。【解決手段】携帯通信端末は、筐体の表面に設けられ、入射光を入射させる第１の開口部と、第１の開口部が設けられた表面とは異なる表面に設けられ、入射光を入射させる第２の開口部と、入射光を変換処理して画像データを生成する撮像部１０４と、撮像部１０４に導く入射光を第１及び第２の開口部何れから入射させるかを切替える入射光切替駆動部１０７と、入射光切替駆動部１０７を制御する制御部１１４と、切替え条件の設定を記憶する記憶部１１３と、切替え条件の設定の選択入力をユーザから受付ける操作部１０６と、を有する。制御部１１４は、切替え条件の設定に基づいて入射光切替駆動手段を制御する。【選択図】図２
2010085684.tif 000002
【特許請求の範囲】
【請求項１】
筐体の表面に設けられ、入射光を入射させる第１の被光入射手段と、
前記第１の被光入射手段が設けられた表面とは異なる表面に設けられ、入射光を入射させる第２の被光入射手段と、
前記入射光を変換処理して画像データを生成する撮像手段と、
前記撮像手段に導く入射光を、前記第１の被光入射手段及び前記第２の被光入射手段の何れの被光入射手段から入射させるかを切替える入射光切替駆動手段と、
前記入射光切替駆動手段を制御する制御手段と、
前記入射光切替駆動手段の切替え条件の設定を記憶する記憶手段と、
前記入射光切替駆動手段の切替え条件の設定の選択入力をユーザから受付ける操作手段と、を有し、
前記記憶手段は、前記操作手段により選択入力された前記切替え条件の設定を記憶し、
前記制御手段は、前記記憶手段により記憶された前記切替え条件の設定に基づいて前記入射光切替駆動手段を制御することを特徴とする携帯通信端末。
【請求項２】
２つの筐体を接続部材を介して接続させた携帯通信端末であって、
前記携帯通信端末の２つの筐体の開閉状態を検出する開閉検出手段をさらに有し、
前記制御手段は、前記開閉検出手段により検出された開閉状態に基づいて前記入射光切替駆動手段を制御することを特徴とする請求項１記載の携帯通信端末。
【請求項３】
前記開閉検出手段は、前記２つの筐体の開閉角度も検出し、
前記制御手段は、前記開閉検出手段により検出された開閉状態及び開閉角度に基づいて前記入射光切替駆動手段を制御することを特徴とする請求項２記載の携帯通信端末。
【請求項４】
前記撮像手段により生成された画像データを判定する判定手段をさらに有し、
前記判定手段は、前記撮像手段が前記第１の被光入射手段及び前記第２の被光入射手段により入射された入射光を変換処理することにより生成した画像データを判定し、
前記制御手段は、前記判定手段により判定された画像データに基づいて前記入射光切替駆動手段を制御することを特徴とする請求項１から３の何れか１項に記載の携帯通信端末。
【請求項５】
筐体の表面に設けられ、入射光を入射させる第１の被光入射手段及び前記第１の被光入射手段が設けられた表面とは異なる表面に設けられ、入射光を入射させる第２の被光入射手段の何れを選択するかを切替える切替え条件の設定を記憶するステップと、
前記切替え条件の設定の選択入力をユーザから受付けるステップと、
前記入射光を、前記第１の被光入射手段及び前記第２の被光入射手段の何れの被光入射手段から入射させるかの入射光切替えを制御するステップと、
前記制御するステップに基づいて、前記入射光を、前記第１の被光入射手段及び前記第２の被光入射手段の何れの被光入射手段から入射させるかを切替えるステップと、
入射された前記入射光を変換処理して画像データを生成するステップと、を有し、
前記記憶するステップは、前記受付けるステップにより選択入力された前記切替え条件の設定を記憶し、
前記制御するステップは、前記記憶するステップにより記憶された前記切替え条件の設定に基づいて前記入射光切替えを制御することを特徴とする撮像制御方法。
【請求項６】
接続部材を介して接続させた２つの筐体の開閉状態を検出するステップをさらに有し、
前記制御するステップは、前記検出するステップにより検出された開閉状態に基づいて前記入射光切替えを制御することを特徴とする請求項５記載の撮像制御方法。
【請求項７】
前記検出するステップは、前記２つの筐体の開閉角度も検出し、
前記制御手段は、前記開閉手段により検出された開閉状態及び開閉角度に基づいて前記入射光切替えを制御することを特徴とする請求項５記載の撮像制御方法。
【請求項８】
前記生成するステップにより生成された画像データを判定するステップをさらに有し、
前記判定するステップは、前記生成するステップが前記第１の被光入射手段及び前記第２の被光入射手段により入射された入射光を変換処理することにより生成した画像データを判定し、
前記制御するステップは、前記判定するステップにより判定された画像データに基づいて前記入射光切替えを制御することを特徴とする請求項５から７の何れか１項に記載の撮像制御方法。
【請求項９】
筐体の表面に設けられ、入射光を入射させる第１の被光入射手段及び前記第１の被光入射手段が設けられた表面とは異なる表面に設けられ、入射光を入射させる第２の被光入射手段の何れを選択するかを切替える切替え条件の設定を記憶する処理と、
前記切替え条件の設定の選択入力をユーザから受付ける処理と、
前記入射光を、前記第１の被光入射手段及び前記第２の被光入射手段の何れの被光入射手段から入射させるかの入射光切替えを制御する処理と、
前記制御する処理に基づいて、前記入射光を、前記第１の被光入射手段及び前記第２の被光入射手段の何れの被光入射手段から入射させるかを切替える処理と、
入射された前記入射光を変換処理して画像データを生成する処理と、をコンピュータに実行させ、
前記記憶する処理は、前記受付ける処理により選択入力された前記切替え条件の設定を記憶させ、
前記制御する処理は、前記記憶する処理により記憶された前記切替え条件の設定に基づいて前記入射光切替えを制御させることをコンピュータに実行させるプログラム。
【請求項１０】
請求項９記載のプログラムを記録したコンピュータ読取可能な記録媒体。
【発明の詳細な説明】
【技術分野】
【０００１】
本発明は、撮像機能を有する携帯通信端末、該携帯通信端末を使用した撮像制御方法、プログラム及び記録媒体に関する。
【背景技術】
【０００２】
現在、撮像機能を搭載した携帯端末が広く普及している。中でも、折り畳み型携帯通信端末において、携帯通信端末を折り畳んだ場合の内側と外側の両面に撮像機能を搭載した端末が、近年流通するようになった。しかし、２つの撮像機能を搭載すると、レンズの厚みなどから携帯通信端末の小型化及び薄型化に逆行してしまうという問題があった。上記問題を解決するために、２つのレンズをもつ折り畳み型携帯端末において、携帯端末の展開又は折り畳みに連動して使用するレンズを切替える技術が開示されている（例えば、特許文献１）。
【特許文献１】特開２００６−１０７６６号公報
【発明の開示】
【発明が解決しようとする課題】
【０００３】
しかし、上述した技術では、折り畳み携帯端末のみにしか適用することができず、また携帯端末の展開又は折り畳みに連動して使用するレンズを切替えてしまうので、ユーザの希望を反映した撮像を行うことができないという問題があった。
【０００４】
本発明はこのような実情を鑑みてなされたものであり、コストを抑え且つユーザの操作性を向上させる携帯通信端末、該携帯通信端末を使用した撮像制御方法、プログラム及び記録媒体を提供することを目的とする。
【課題を解決するための手段】
【０００５】
本発明の携帯通信端末は、筐体の表面に設けられ、入射光を入射させる第１の被光入射手段と、第１の被光入射手段が設けられた表面とは異なる表面に設けられ、入射光を入射させる第２の被光入射手段と、入射光を変換処理して画像データを生成する撮像手段と、撮像手段に導く入射光を、第１の被光入射手段及び第２の被光入射手段の何れの被光入射手段から入射させるかを切替える入射光切替駆動手段と、入射光切替駆動手段を制御する制御手段と、入射光切替駆動手段の切替え条件の設定を記憶する記憶手段と、入射光切替駆動手段の切替え条件の設定の選択入力をユーザから受付ける操作手段と、を有し、記憶手段は、操作手段により選択入力された切替え条件の設定を記憶し、制御手段は、記憶手段により記憶された切替え条件の設定に基づいて入射光切替駆動手段を制御することを特徴とする。
【０００６】
本発明の携帯通信端末は、２つの筐体を接続部材を介して接続させた携帯通信端末であって、携帯通信端末の２つの筐体の開閉状態及び開閉角度を検出する開閉検出手段をさらに有し、制御手段は、開閉検出手段により検出された開閉状態及び開閉角度に基づいて入射光切替駆動手段を制御することを特徴とする。
【０００７】
本発明の携帯通信端末は、撮像手段により生成された画像データを判定する判定手段をさらに有し、判定手段は、撮像手段が第１の被光入射手段及び第２の被光入射手段により入射された入射光を変換処理することにより生成した画像データを判定し、制御手段は、判定手段により判定された画像データに基づいて入射光切替駆動手段を制御することを特徴とする。
【０００８】
本発明の撮像制御方法は、筐体の表面に設けられ、入射光を入射させる第１の被光入射手段及び第１の被光入射手段が設けられた表面とは異なる表面に設けられ、入射光を入射させる第２の被光入射手段の何れを選択するかを切替える切替え条件の設定を記憶するステップと、切替え条件の設定の選択入力をユーザから受付けるステップと、入射光を、第１の被光入射手段及び第２の被光入射手段の何れの被光入射手段から入射させるかの入射光切替えを制御するステップと、制御するステップに基づいて、入射光を、第１の被光入射手段及び第２の被光入射手段の何れの被光入射手段から入射させるかを切替えるステップと、入射された入射光を変換処理して画像データを生成するステップと、を有し、記憶するステップは、受付けるステップにより選択入力された切替え条件の設定を記憶し、制御するステップは、記憶するステップにより記憶された切替え条件の設定に基づいて入射光切替えを制御することを特徴とする。
【０００９】
本発明のプログラムは、筐体の表面に設けられ、入射光を入射させる第１の被光入射手段及び第１の被光入射手段が設けられた表面とは異なる表面に設けられ、入射光を入射させる第２の被光入射手段の何れを選択するかを切替える切替え条件の設定を記憶する処理と、切替え条件の設定の選択入力をユーザから受付ける処理と、入射光を、第１の被光入射手段及び第２の被光入射手段の何れの被光入射手段から入射させるかの入射光切替えを制御する処理と、制御する処理に基づいて、入射光を、第１の被光入射手段及び第２の被光入射手段の何れの被光入射手段から入射させるかを切替える処理と、入射された入射光を変換処理して画像データを生成する処理と、をコンピュータに実行させ、記憶する処理は、受付ける処理により選択入力された切替え条件の設定を記憶させ、制御する処理は、記憶する処理により記憶された切替え条件の設定に基づいて入射光切替えを制御させることをコンピュータに実行させる。
【発明の効果】
【００１０】
本発明によれば、設定された条件に従って入射光を選択するので、コストを抑え、さらにユーザの操作性を向上させることが可能となる。
【発明を実施するための最良の形態】
【００１１】
以下に本発明の実施形態の例について、図面を用いて詳細に説明する。
【００１２】
図１は、本実施形態に係る携帯通信端末の概略構成例を示す。携帯通信端末には、折り畳み型携帯通信端末やスライド式携帯通信端末やストレート型携帯通信端末等、多様な構成が考えられるが、以下、本実施形態では折り畳み携帯通信端末を例に挙げて説明する。
【００１３】
図１に示すように、携帯通信端末１００は、２つの筐体である上側ユニットと下側ユニットとがヒンジを介して接続され、プログラム制御により動作し、通信機能（例えば、通話、メール送受信、インターネット接続等）やＴＶ放送受信機能等を備えた携帯型の情報処理装置であって、例えば、携帯電話機として構成される。
【００１４】
また、本実施形態に係る携帯通信端末１００の例では、上側ユニットであって折り畳んだ場合に内側となる面に後述する表示部と第１開口部を備え、下側ユニットであって折り畳んだ場合に内側となる面に後述する操作部を備えている。さらに、下側ユニットであって携帯通信端末１００を折り畳んだ場合に外側となる面に第２開口部を備えている。ここで、開口部とは入射光を入射させるためのものであり、筐体の表面に設けられている。尚、本実施形態に係る携帯通信端末の概略構成の例を説明したが、これに限定されるものではない。
【００１５】
図２は、本実施形態に係る携帯通信端末１００の概略機能例を示す。図示するように、本実施形態に係る携帯通信端末１００は、無線通信部１０１、放送受信部１０２、ＧＰＳ受信部１０３、撮像部１０４、表示部１０５、操作部１０６、入射光切替駆動部１０７、開閉検出部１０８、音声処理部１０９、マイク１１０、スピーカ１１１、スピーカ部１１２、記憶部１１３、制御部１１４を備える。
【００１６】
無線通信部１０１は、アンテナを介して図示しない無線基地局装置との間で無線により情報の送受を行う。放送受信部１０２は、放送局（例えば地上局、衛星など）から送信された放送信号を、アンテナを介して受信し、該受信した信号の復調による映像データ、音声データ、情報データ等の放送信号処理を行う。ＧＰＳ受信部１０３は、図示しないＧＰＳ衛星から発射された電波が情報処理装置１００に到達するまでの時間を測定し、この時間差からＧＰＳ衛星と情報処理装置１００との距離を求め、この距離を利用して位置座標を求める。
【００１７】
撮像部１０４は、入射光を変換処理して画像データの取得を行う。表示部１０５は、画像、図形、文字、記号などの情報表示出力（映像信号処理）を行う。操作部１０６は、主にテンキー、ファンクションキーにより構成され、携帯通信端末１００に対する利用者の各種情報入力を行う。また、入射光切替駆動部１０７の駆動制御の条件設定などの入力及び選択などをユーザから受付ける。入射光切替駆動部１０７は、筐体内に内蔵された鏡やプリズムの姿勢を制御して、携帯通信端末１００の内面側に設けられた第１の開口部からの入射光、或いは携帯通信端末１００の外面側に設けられた第２の開口部からの入射光を、撮像素子（センサ）に導くように切替え駆動する。
【００１８】
開閉検出部１０８は、上側ユニットと下側ユニットとの閉状態(表示部、操作部を内面側にして閉じた状態)、開状態、及び開角度を、磁気/ホール素子、或いは凸部/押下スイッチ等を介して検出する。音声処理部１０９は、送話部（例えば、マイク１１０）及び受話部（例えば、スピーカ１１１）を介して入出力された音声信号の処理を行う。スピーカ部１１２は、楽音や報知音などの鳴音出力を行う。記憶部１１３は、電話帳情報、送受信メール情報、発着呼情報、コンテンツ情報、アプリケーションプログラム情報、撮影画像、入射光切替駆動部１０７の切替条件、該切替条件の設定及び携帯無線端末１００の諸設定等を格納する。制御部１１４は、電話機能、メール機能、インターネット(web)接続機能、カメラ機能、テレビ受信機能、ＧＰＳ（測位）機能、コンテンツ再生機能、入射光切替駆動部１０７、その他の端末の有する機能や各部の制御を行う。
【００１９】
（実施形態１）
図３は、本実施形態に係る携帯通信端末１００の撮像動作の処理の流れの例を示す。次に、本実施形態に係る携帯通信端末１００の動作例について、図３に示すフローチャートを用いて説明する。
【００２０】
携帯通信端末１００は、一つの撮像素子（センサ）１０４に対して、携帯通信端末１００の内面側に設けられた第１の開口部からの入射光、或いは携帯通信端末１００の外面側に設けられた第２の開口部からの入射光を切り替えて画像撮像を行う。また、この際に、携帯通信端末１００に予め格納された設定あるいはユーザ設定に基づき、入射光切替駆動部１０７が駆動制御される。
【００２１】
図３では上下ユニットの開角度に基づいて入射光切替駆動部１０７が制御される例を示している。図示するように、ユーザによる撮像操作が行われると（ステップＳ１０１／ＹＥＳ）、上側ユニットと下側ユニットとの開閉状態及び開閉角度が検出される（ステップＳ１０２）。予め設定された所定角度（例えば、９０度）未満の開状態である場合（ステップＳ１０２／所定値未満）は、携帯通信端末１００の外面側に設けられた第２の開口部からの入射光が選択されて撮像動作が行われる（Ｓ１０６）。
【００２２】
一方、上側ユニットと下側ユニットとの開閉が、予め設定された所定角度（例えば、９０度）以上の開状態である場合（ステップＳ１０２／所定値以上）、内外の入射光を切替えて画像を順次取得する（ステップＳ１０３）。そして、取得した画像の判定（例えば、人物の有無）が、既知の画像認識エンジンなどの図示しない判定手段により判定され（ステップＳ１０４）、携帯通信端末１００の外面側に被写体（例えば、人物）の存在が判断された場合（ステップＳ１０５／ＹＥＳ）には、外面側に設けられた第２の開口部からの入射光を選択して画像の撮像が行われる（ステップＳ１０６）。携帯通信端末１００の内側面に被写体（例えば、人物）の存在が判断された場合であっても、ユーザ以外の被写体が存在しない場合（ステップＳ１０７／ＮＯ）には、外面側に設けられた第２の開口部からの入射光を選択して画像の撮像が行われる（ステップＳ１０６）。
【００２３】
また、携帯通信端末１００の内側面に被写体（例えば、人物）の存在が判断された場合であって、利用者以外の被写体が存在すると判定された場合（ステップＳ１０７／ＹＥＳ）には、内面側に設けられた第１の開口部からの入射光を選択して画像の撮像が行われる（ステップＳ１０８）。
【００２４】
本実施形態により、携帯通信端末に対する入射光を切替える手段として、内側面及び外側面の何れかの開口部に切替える入射光切替駆動部を備えていることで、１つの撮像素子（カメラ）で内側面及び外側面の両方の撮像が可能となる。さらに２つの撮像素子を備えずに内側面及び外側面の両方の撮像が可能となることで、コストを抑えることが可能となり、コンパクト化も可能となる。また、入射光切替駆動部は、上側ユニットと下側ユニットとの開閉条件に従い、自動的に切り替え制御され、ユーザが撮影の都度、撮像方向を選択する手間を排除することが可能となり、ユーザの操作性を向上させることが可能である。
【００２５】
また、上述した実施形態では、上記ステップＳ１０３において内面側及び外面側の入射光を切替えて画像を取得し、取得した画像の判定を行う。そして、外面側の第２開口部からの入射光により取得した画像に被写体がなく、内側面の第１開口部からの入射光により取得した画像にユーザ以外の被写体があると判定された場合に内側面の第１開口部からの入射光により撮像動作を行い、上記以外の場合には外側面の第２開口部からの入射光による撮像動作を行う例について説明した。
【００２６】
しかし、上述した設定条件は一例であり、これに限定されるものではない。例えば、外側面の第２開口部からの入射光により取得した画像に被写体があると判定された場合であっても、内側面の被写体が第１開口部からの入射光により取得した画像に被写体があると判定された場合には、内側面の第１開口部からの入射光により撮像動作を行うように設定することも可能である。また、ユーザ自身を撮像するために、内側面の第１開口部からの入射光により取得した画像にユーザ以外の被写体がないと判定された場合であっても、内側面の第１開口部からの入射光により撮像動作を行うように設定することも可能である。
【００２７】
すなわち、入射光切替駆動部の切替条件の設定は適宜変更することが可能であり、予め設定された条件からユーザが選択して設定するようにしても、直接ユーザが条件を設定するようにしても、どのような場合にも適用することが可能である。また、複数の設定条件を組み合せることも可能である。
【００２８】
（実施形態２）
図４は、本実施形態に係る携帯通信端末の概略構成例を示す。図４に示すように、本実施形態に係る携帯通信端末の例としてスライド式携帯通信端末を例に挙げて示している。
【００２９】
図示するように、本実施形態に係る携帯通信端末１００は、スライド式の携帯通信端末であり、筐体である正面側ユニットと裏面側ユニットを備えている。正面側ユニットの正面側に表示部１０５及び第１開口部を備え、裏面側ユニットの正面側に操作部１０６を備えており、裏面側に第２開口部を備えている。図４の（ａ）及び（ｂ）は、本実施形態に係る携帯通信端末１００をスライドさせて閉じた状態を示している。一方、図４の（ｃ）、（ｄ）、（ｅ）は本実施形態に係る携帯通信端末１００をスライドさせて開いた状態を示している。
【００３０】
本実施形態では、上述した開閉検出部１０８などにより、携帯通信端末が操作部１０６を操作可能な状態にスライドさせて開いた状態であるか又は閉じた状態であるかに基づいて制御部１１４により入射光切替駆動部１０７が制御される例を説明する。
【００３１】
ユーザによる撮像操作が行われると、正面側ユニットと裏面側ユニットとの開閉状態が検出される。図４の（ｃ）〜（ｅ）に示すように裏面側ユニットの操作部１０６が操作可能である開いた状態である場合は、携帯通信端末１００の裏面側ユニットに設けられた第２開口部からの入射光が選択されて撮像動作が行われる。一方、図４の（ａ）及び（ｂ）に示すように裏面側ユニットの操作部１０６が操作不可能である閉じた状態である場合には、携帯通信端末１００の正面側ユニットに設けられた第１開口部からの入射光が選択されて撮像動作が行われる。尚、どのような状態の場合に第１及び第２何れの開口部を選択するかはユーザが設定変更することが可能である。
【００３２】
尚、上述した本実施形態に係る携帯通信端末１００の入射光切替駆動部１０７が駆動制御するための切替条件として、上記実施形態１に示すステップＳ１０３〜Ｓ１０８の処理、その他様々な条件を組み合わせることも可能である。
【００３３】
本実施形態により携帯通信端末に対する入射光として、正側面及び裏側面を選択する入射光切替駆動部を備えていることで、１つの撮像素子（カメラ）で正側面及び裏側面の両方の撮像が可能となる。さらに２つの撮像素子を備えずに正側面及び裏側面の両方の撮像が可能となることで、コストを抑えることが可能となる。また、入射光切替駆動部は、ユーザが設定した条件又は予め設定されている条件に従い、自動的に切り替えを制御され、ユーザが撮影の都度、撮像方向を選択する手間を排除することが可能となり、ユーザの操作性を向上させることが可能である。
【００３４】
尚、上述した図１及び図４に示す携帯通信端末の開口部の位置などは適宜変更することが可能である。
【００３５】
尚、上述した処理を、ＣＰＵが実行するためのプログラムは本発明によるプログラムを構成する。このプログラムを記録するコンピュータ読み取り可能な記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００３６】
以上好適な実施の形態に基づき具体的に説明したが、本発明は上述した携帯通信端末、該携帯通信端末を使用した撮像制御方法、プログラム及び記録媒体に限定されるものではなく、その要旨を逸脱しない範囲で種々変更可能であるということは言うまでもない。
【図面の簡単な説明】
【００３７】
【図１】本実施形態に係る携帯通信端末の概略構成例を示す図である。
【図２】本実施形態に係る携帯通信端末の概略機能例を示すブロック図である。
【図３】本実施形態に係る携帯通信端末の撮像動作の処理の流れの例を示すフローチャートである。
【図４】本実施形態に係る携帯通信端末の概略構成例を示す図である。
【符号の説明】
【００３８】
１００    携帯通信端末
１０１    無線通信部
１０２    放送受信部
１０３    ＧＰＳ受信部
１０４    撮像部
１０５    表示部
１０６    操作部
１０７    入射光切替駆動部
１０８    開閉検出部
１０９    音声処理部
１１０    マイク
１１１    スピーカ
１１２    スピーカ部
１１３    記憶部
１１４    制御部
【図１】
2010085684.tif 000003
【図２】
2010085684.tif 000004
【図３】
2010085684.tif 000005
【図４】
2010085684.tif 000006